(57)【特許請求の範囲】
【請求項１】
画像形成を行う本体部と、前記本体部から着脱自在に構成された消耗品とを備えた画像形成装置であって、
前記消耗品は、
前記本体部から供給される電力を受電する受電部と、
前記受電部が受電した電力に基づいて予め設定された点灯時間長だけ発光部を点灯させるように調整する点灯時間調整部と、
前記点灯時間調整部で調整された前記点灯時間長だけ点灯する前記発光部とを有し、
前記受電部と前記点灯時間調整部と前記発光部とは前記消耗品にプリント配線されており、
前記本体部は、
前記受電部に所定時間電力を供給する給電部と、
前記発光部の点灯を検出する受光部と、
前記予め設定された点灯時間長を記憶した点灯時間長記憶部とを有し、
前記受光部を介して前記発光部の前記点灯時間長を測定し、測定した前記点灯時間長が記憶された前記予め設定された点灯時間長と一致するか否かにより前記消耗品が正規品であるか否かを判別する制御部とを有し、
前記点灯時間調整部は、
コンデンサーと抵抗を有し、前記抵抗の抵抗値を変えることによって前記発光部の前記点灯時間長が調整される
ことを特徴とする画像形成装置。
【請求項２】
前記点灯時間調整部は、目視不可能に覆われている
ことを特徴とする請求項１に記載の画像形成装置。
【請求項３】
前記給電部と前記受電部とはコイルで構成され、
前記制御部は、前記消耗品が装着されたときに、前記給電部に前記所定時間通電し、電磁誘導によるワイヤレス給電を行う
ことを特徴とする請求項１又は２に記載の画像形成装置。
【発明の詳細な説明】
【技術分野】
【０００１】
本発明は、本体部に着脱可能な消耗品を備えた画像形成装置に係り、特に、装着された消耗品が正規品であるか否かを判別する画像形成装置に関する。
【背景技術】
【０００２】
画像形成装置では、ドラムユニットやトナーコンテナなどの消耗品が本体部に対して着脱可能に設けられている。交換時期に達すると、本体部から消耗品を取り外して交換する必要があり、消耗品の交換に関して各種技術が提案されている。例えば、消耗品の装着状態を無線で検出したり、新しい消耗品が装着されたときに、消耗品の交換時期を検出するために積算している使用量をリセットしたりする技術が提案されている（例えば、特許文献１〜３を参照）。また、画像形成装置では、消耗品に識別コードを記憶したメモリーを取り付けておき、本体部が消耗品から識別コードを読み取って正規品であるか否かを判別するものがある。
【先行技術文献】
【特許文献】
【０００３】
【特許文献１】特開2014-054808号公報
【特許文献２】特開2000-085136号公報
【特許文献３】特開2005-329545号公報
【発明の概要】
【発明が解決しようとする課題】
【０００４】
しかしながら、識別コードを記憶したメモリーは簡単に取り外し可能であるため、正規品と品質が異なる非正規品に流用される可能性があり、従来技術では非正規の消耗品を見分けることができないという問題があった。
【０００５】
本発明は上記課題に鑑みてなされたものであり、上記課題を解決することを目的とする技術を提供することを目的とする。
【課題を解決するための手段】
【０００６】
本発明の画像形成装置は、画像形成を行う本体部と、前記本体部から着脱自在に構成された消耗品とを備えた画像形成装置であって、前記消耗品は、前記本体部から供給される電力を受電する受電部と、前記受電部が受電した電力に基づいて予め設定された点灯時間長だけ発光部を点灯させるように調整する点灯時間調整部と、前記点灯時間調整部で調整された前記点灯時間長だけ点灯する前記発光部とを有し、前記受電部と前記点灯時間調整部と前記発光部とは前記消耗品にプリント配線されており、前記本体部は、前記受電部に所定時間電力を供給する給電部と、前記発光部の点灯を検出する受光部と、前記予め設定された点灯時間長を記憶した点灯時間長記憶部とを有し、前記受光部を介して前記発光部の前記点灯時間長を測定し、測定した前記点灯時間長が記憶された前記予め設定された点灯時間長と一致するか否かにより前記消耗品が正規品であるか否かを判別する制御部とを有し、前記点灯時間調整部は、コンデンサーと抵抗を有し、前記抵抗の抵抗値を変えることによって前記発光部の前記点灯時間長が調整されることを特徴とする。
また、前記点灯時間調整部は、目視不可能に覆われていてもよい。
また、前記給電部と前記受電部とはコイルで構成され、前記制御部は、前記消耗品が装着されたときに、前記給電部に前記所定時間通電し、電磁誘導によるワイヤレス給電を行ってもよい。
【発明の効果】
【０００７】
本発明によれば、非正規の消耗品を見分けることができる。
【図面の簡単な説明】
【０００８】
【図１】本発明に係る実施形態の画像形成装置の断面模式図である。
【図２】本体部に装着された消耗品が正規品か否かを検知するための回路図の一例である。
【図３】図２に示す回路図の各部の動作の流れを示すフローチャートである。
【発明を実施するための形態】
【０００９】
以下、図を参照して本発明の実施形態を詳細に説明する。なお、以下の実施形態において、同様の機能を示す構成には、同一の符号を付してある。
【００１０】
本実施の形態の画像形成装置１は、図１を参照すると、本体部２に４つの画像形成部１０ａ、１０ｂ、１０ｃ及び１０ｄが配設されたカラー複写機であり、原稿読取部５と、原稿給送部６と、操作部７とを備えている。原稿読取部５は、本体部２の上部に配設され、原稿給送部６は、原稿読取部５の上部に配設されている。操作部７は、画像形成装置１の手前側に配設されている。
【００１１】
操作部７には、表示部７１、テンキー７２が設けられている。ユーザーは操作部７を操作して指示を入力することで、画像形成装置１の各種の設定を行い、画像形成等の各種機能を実行させる。表示部７１は、画像形成装置１の状態、画像形成状況や印刷部数を表示する液晶表示パネル等の表示手段である。表示部７１は、液晶表示パネルの表面に透明の感圧センサーが設けられたタッチパネルとして、カラー印刷、モノクロ印刷、両面印刷等の各種指示や、倍率設定、濃度設定等の各種設定を行えるようになっている。
【００１２】
原稿読取部５は、スキャナー５１と、プラテンガラス５２と、原稿読取スリット５３とを備える。スキャナー５１は、ＬＥＤ（Light Emitting Diode）及びＣＣＤ（Charge Coupled Device）センサー等から構成され、原稿給送部６による原稿ＭＳの搬送方向に移動可能に構成されている。また、スキャナー５１は、各画素がＲ（赤）、Ｇ（緑）、Ｂ（青）の色成分からなる画像データとして原稿ＭＳを読み取る。プラテンガラス５２は、ガラス等の透明部材により構成された原稿台である。原稿読取スリット５３は、原稿給送部６による原稿ＭＳの搬送方向と直交する方向に形成されたスリットを有する。
【００１３】
プラテンガラス５２に載置された原稿を読み取る場合には、スキャナー５１は、プラテンガラス５２に対向する位置に移動され、プラテンガラス５２に載置された原稿を走査しながら原稿を読み取って画像データを取得し、取得した画像データを本体部２に出力する。また、原稿給送部６により搬送された原稿ＭＳを読み取る場合には、スキャナー５１は、原稿読取スリット５３と対向する位置に移動され、原稿読取スリット５３を介し、原稿給送部６による原稿ＭＳの搬送動作と同期して原稿ＭＳを読み取って画像データを取得し、取得した画像データを本体部２に出力する。
【００１４】
原稿給送部６は、原稿載置部６１と、原稿排出部６２と、原稿搬送機構６３とを備えている。原稿載置部６１に載置された原稿ＭＳは、原稿搬送機構６３によって、１枚ずつ順に繰り出されて原稿読取スリット５３に対向する位置へ搬送され、その後、原稿排出部６２に排出される。なお、原稿給送部６は、可倒式に構成され、原稿給送部６を上方に持ち上げることで、プラテンガラス５２の上面を開放させることができる。
【００１５】
本体部２には、画像形成部１０ａ、１０ｂ、１０ｃ及び１０ｄと、感光体ドラム１１ａ、１１ｂ、１１ｃ及び１１ｄと、帯電装置１２ａ、１２ｂ、１２ｃ及び１２ｄと、露光ユニット１３と、現像装置１４ａ、１４ｂ、１４ｃ及び１４ｄと、一次転写ローラー１５ａ、１５ｂ、１５ｃ及び１５ｄと、中間転写ベルト２０と、クリーニング装置１６ａ、１６ｂ、１６ｃ及び１６ｄとが設けられている。
【００１６】
４つの画像形成部１０ａ、１０ｂ、１０ｃ及び１０ｄは、異なる４色Ｃ（シアン）、Ｍ（マゼンダ）、Ｙ（イエロー）、Ｋ（ブラック）の画像データにそれぞれ対応する。感光体ドラム１１ａ、１１ｂ、１１ｃ及び１１ｄは、４つの画像形成部１０ａ、１０ｂ、１０ｃ及び１０ｄにそれぞれ回転自在に配設されており、４つの画像形成部１０ａ、１０ｂ、１０ｃ及び１０ｄの各色の可視像（トナー像）を担持する。帯電装置１２ａ、１２ｂ、１２ｃ及び１２ｄは、感光体ドラム１１ａ、１１ｂ、１１ｃ及び１１ｄの周囲に設けられ、感光体ドラム１１ａ、１１ｂ、１１ｃ及び１１ｄをそれぞれ帯電させる。露光ユニット１３は、感光体ドラム１１ａ、１１ｂ、１１ｃ及び１１ｄにそれぞれ画像情報を露光する。現像装置１４ａ、１４ｂ、１４ｃ及び１４ｄは、感光体ドラム１１ａ、１１ｂ、１１ｃ及び１１ｄ上にそれぞれトナー像を形成する。一次転写ローラー１５ａ、１５ｂ、１５ｃ及び１５ｄは、感光体ドラム１１ａ、１１ｂ、１１ｃ及び１１ｄ上のトナー像をそれぞれ中間転写ベルト２０に転写する。中間転写ベルト２０は４つの画像形成部１０ａ、１０ｂ、１０ｃ及び１０ｄに隣接して設けられている。クリーニング装置１６ａ、１６ｂ、１６ｃ及び１６ｄは、感光体ドラム１１ａ、１１ｂ、１１ｃ及び１１ｄ上に残留した現像剤（トナー）を除去する。
【００１７】
画像形成装置１による画像形成は、まず、帯電装置１２ａ、１２ｂ、１２ｃ及び１２ｄにより感光体ドラム１１ａ、１１ｂ、１１ｃ及び１１ｄの表面を一様に帯電させ、原稿読取部５で読み取った画像データに基づいて、露光ユニット１３によって感光体ドラム１１ａ、１１ｂ、１１ｃ及び１１ｄの表面を走査することで静電潜像を形成させる。次に、感光体ドラム１１ａ、１１ｂ、１１ｃ及び１１ｄの表面に形成された静電潜像を現像装置１４ａ、１４ｂ、１４ｃ及び１４ｄによって現像することでトナー像を形成させる。感光体ドラム１１ａ、１１ｂ、１１ｃ及び１１ｄ上に形成されたトナー像は、感光体ドラム１１ａ、１１ｂ、１１ｃ及び１１ｄに当接しながら移動する中間転写ベルト２０上に順次転写される。中間転写ベルト２０上に順次転写されたトナー像は、二次転写ローラー１７において記録紙Ｐ上に一度に転写される。記録紙Ｐは、本体部２下部の用紙カセット３０内に収容されており、給紙ローラー３１及びレジストローラー３２を介して二次転写ローラー１７へと搬送される。記録紙Ｐ上に転写されたトナー像は、定着装置１８において記録紙Ｐに定着され、印刷が施された記録紙Ｐが排出ローラー３３によって本体部２から排出トレイ３４に排出される。
【００１８】
また、本体部２には、４つの画像形成部１０ａ、１０ｂ、１０ｃ及び１０ｄにそれぞれトナーを供給するトナーコンテナ２１ａ、２１ｂ、２１ｃ及び２１ｄが設けられている。トナーコンテナ２１ａ、２１ｂ、２１ｃ及び２１ｄには、４つの現像装置１４ａ、１４ｂ、１４ｃ及び１４ｄにそれぞれ供給される４色Ｃ（シアン）、Ｍ（マゼンダ）、Ｙ（イエロー）、Ｋ（ブラック）のトナーが収容されている。トナーコンテナ２１ａ、２１ｂ、２１ｃ及び２１ｄや、感光体ドラム１１ａ、１１ｂ、１１ｃ及び１１ｄは、寿命やメンテナンス等により適切な時期に交換する必要がある消耗品である。以下では、トナーコンテナ２１ａ、２１ｂ、２１ｃ及び２１ｄや、感光体ドラム１１ａ、１１ｂ、１１ｃ及び１１ｄをそれぞれ区別する必要がない場合、消耗品として説明する。
【００１９】
消耗品は、本体部２における所定位置にそれぞれ装着される。図２は、本体部に装着された消耗品が正規品か否かを検知するための回路図の一例である。図２に示すように、本体部２において消耗品が装着される装着面には、消耗品を検知するための消耗品検知回路８０が設けられている。消耗品検知回路８０は、各消耗品が装着される装着面にそれぞれ設けられている。制御部８３は、各消耗品検知回路８０と接続しており、各消耗品検知回路８０を介して装着されたそれぞれの消耗品について正規品か否かを判定する。また、消耗品には、本体部２に装着されたときに消耗品検知回路８０と対向する面に、消耗品を識別させるための識別回路９０が設けられている。識別回路９０は消耗品にプリント配線されており、取り外し不可能に構成されている。
【００２０】
消耗品検知回路８０は、制御部８３に接続されており、装着検出部８１と、トランジスタＱ１と、本体側コイルＬ１と、受光素子Ｑ２と、抵抗Ｒ１と、電流検出部８２とを備えている。
【００２１】
識別回路９０は、消耗品側コイルＬ２と、整流用ダイオードＤ１と、コンデンサーＣ１と、抵抗Ｒ２と、発光ダイオードＤ２とを備えている。
【００２２】
装着検出部８１は、例えば押しボタン式のスイッチ等で構成され、消耗品が本体部２に装着されたことを検出して、その旨を制御部８３に出力する機能を有する。
【００２３】
制御部８３は、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。制御部８３は、ＲＯＭに記憶されている制御プログラムを読み出し、制御プログラムをＲＡＭに展開させることで、操作部７から入力された所定の指示情報に応じて装置全体の制御を行う。また、制御部８３は、装着された消耗品が正規品か否かを判別する判別部８３１と、装着された消耗品に設けられた発光ダイオードの点灯時間を測定する点灯時間測定部８３２として機能する。判別部８３１は、装着検出部８１を介して消耗品が装着されたことを検出すると、本体側コイルＬ１に通電するためトランジスタＱ１を所定時間ＯＮにする。
【００２４】
トランジスタＱ１は、判別部８３１の制御に従って本体側コイルＬ１に通電するか否かを切り換えるスイッチとして機能する。トランジスタＱ１は、ゲート端子が制御部８３に接続され、コレクタ端子が本体側コイルＬ１を介して電源電圧に接続され、エミッタ端子が接地されている。判別部８３１によってトランジスタＱ１が所定時間ＯＮになると、本体側コイルＬ１が所定時間通電され、判別部８３１によってトランジスタＱ１がＯＦＦになると、本体側コイルＬ１における通電が停止される。そのため、必要なときのみ本体側コイルＬ１に通電されるので、消費電力を削減することができる。
【００２５】
本体側コイルＬ１は、一端側が電源電圧に接続され、他端側がトランジスタＱ１のコレクタ端子に接続されており、対向する位置には消耗品側コイルＬ２が設けられている。消耗品側コイルＬ２は、本体部２に消耗品が装着されたときに本体側コイルＬ１に対向する位置になるように消耗品に設けられている。消耗品側コイルＬ２とコンデンサーＣ１と抵抗Ｒ２と発光ダイオードＤ２とは並列に接続されている。また、消耗品側コイルＬ２の一端側とコンデンサーＣ１の一端側との間には整流用ダイオードＤ１が設けられている。
【００２６】
本体側コイルＬ１が通電され、磁束を生じると、消耗品側コイルＬ２が起電する。つまり、判別部８３１が本体側コイルＬ１に通電することにより、本体側コイルＬ１と消耗品側コイルＬ２との間で電磁誘導によるワイヤレス給電が行われる。そのため、本体部２に消耗品を装着するためのハーネス接続が不要となり、構造を簡素化できる。また、抵抗Ｒ２の抵抗値は、消耗品側コイルＬ２の起電力とコンデンサーＣ１の蓄電容量に基づいて予め設定された点灯時間長だけ発光ダイオードＤ２が点灯するように工場出荷時に調整されている。つまり、この点灯時間長が各消耗品を識別する識別情報を表しているので、コンデンサーＣ１と抵抗Ｒ２は、その設定値が目視できないように絶縁体等で被覆されるようにしてもよい。コンデンサーＣ１と抵抗Ｒ２は本実施形態の点灯時間調整部９１を構成している。発光ダイオードＤ２は、消耗品側コイルＬ２の起電力とコンデンサーＣ１の蓄電容量と抵抗Ｒ２の抵抗値により調整された点灯時間長だけ点灯することで、識別情報を本体部に出力するように構成されている。
【００２７】
本体部２側には、発光ダイオードＤ２の発光面に対向する位置に受光面が来るように受光素子（フォトトランジスタ等）Ｑ２が設けられている。受光素子Ｑ２はコレクタ端子が電源電圧に接続され、エミッタ端子が電流検出部８２に接続されている。また、受光素子Ｑ２のエミッタ端子と電流検出部８２との間に設けられた接続点は、抵抗Ｒ１を介して接地されている。
【００２８】
受光素子Ｑ２は発光ダイオードＤ２の点灯を検知するとＯＮになり、電流検出部８２に電流を出力するように構成されている。発光ダイオードＤ２が消灯すると、受光素子Ｑ２はＯＦＦになる。
【００２９】
電流検出部８２は、受光素子Ｑ２がＯＮになったときに受光素子Ｑ２のエミッタ端子から出力される電流を検出する機能を有しており、制御部８３に接続されている。
【００３０】
点灯時間測定部８３２は、電流検出部８２を介して、受光素子Ｑ２がＯＮの間の時間を測定し、発光ダイオードＤ２の点灯時間長として取得する。
【００３１】
判別部８３１は、点灯時間測定部８３２により点灯時間長が測定されると、点灯時間長記憶部８４を参照して、測定された点灯時間長と点灯時間長記憶部８４に記憶された点灯時間長とを比較する。点灯時間長記憶部８４には、予めこの画像形成装置１で使用可能な正規の消耗品の点灯時間長が記憶されている。判別部８３１は、測定された点灯時間長が記憶された点灯時間長と一致した場合、正規の消耗品が装着されたと判定し、測定された点灯時間長が記憶された点灯時間長と一致しなかった場合、非正規の消耗品が装着されたと判定する。
【００３２】
図３は、図２に示す回路図における各部の動作の流れを説明したフローチャートである。
【００３３】
装着検出部８１は、消耗品が本体部２に装着されるまで待機している（ステップｓ１１、ステップｓ１１でＮｏ）。装着されると（ステップｓ１１でＹｅｓ）、判別部８３１によりトランジスタＱ１が所定時間ＯＮに制御され、本体側コイルＬ１が所定時間通電される（ステップｓ１２）。本体側コイルＬ１が通電されたことにより、電磁誘導により消耗品側コイルＬ２に起電力が生じ（ステップｓ１３）、抵抗Ｒ２の抵抗値により予め設定された点灯時間だけ発光ダイオードＤ２が点灯する（ステップｓ１５）。
【００３４】
受光素子Ｑ２が発光ダイオードＤ２の点灯を検知すると（ステップｓ１６）、点灯時間測定部８３２は、電流検出部８２を介して受光素子Ｑ２から電流が出力されている時間を測定することで、発光ダイオードＤ２の点灯時間長を測定する（ステップｓ１７）。
【００３５】
判別部８３１は、点灯時間測定部８３２で測定された点灯時間長と、点灯時間長記憶部８４に記憶された点灯時間長とを比較し（ステップｓ１８）、一致したか判定する（ステップｓ１９）。
【００３６】
一致した場合には（ステップｓ１９でＹｅｓ）、判別部８３１は、装着された消耗品を正規品と認定し（ステップｓ２０）、本処理を終了する。
【００３７】
一方、一致しなかった場合には（ステップｓ１９でＮｏ）、判別部８３１は、装着された消耗品を非正規品と認定し（ステップｓ２１）、本処理を終了する。非正規品と認定した場合、判別部８３１は、非正規品のため品質の保証ができない等のメッセージを操作部７に表示してもよい。
【００３８】
このように、本実施形態の画像形成装置１は、画像形成を行う本体部２と、本体部２から着脱自在に構成された消耗品（トナーコンテナ２１ａ、２１ｂ、２１ｃ及び２１ｄや、感光体ドラム１１ａ、１１ｂ、１１ｃ及び１１ｄ）を備えており、消耗品は、本体部２から供給される電力を受電する受電部（消耗品側コイルＬ２）と、受電部が受電した電力に基づいて予め設定された点灯時間長だけ発光部（発光ダイオードＤ２）を点灯させる点灯時間調整部（コンデンサーＣ１、抵抗Ｒ２）９１と、点灯時間調整部９１で調整された点灯時間長だけ点灯する発光部を有し、受電部と点灯時間調整部９１と発光部とは消耗品にプリント配線されており、本体部２は、受電部に所定時間電力を供給する給電部（本体側コイルＬ１）と、発光部の点灯を検出する受光部（受光素子Ｑ２）と、予め設定された点灯時間長を記憶した点灯時間長記憶部８４とを有し、制御部８３は、受光部を介して発光部の点灯時間長を測定し、測定した点灯時間長が記憶された点灯時間長と一致するか否かにより消耗品が正規品であるか否かを判別する。そのため、受電部と点灯時間調整部９１と発光部と（識別回路９０）が消耗品にプリント配線されているので、正規の消耗品に付けられた識別回路９０を非正規の消耗品に流用することができず、識別回路９０を持たない非正規の消耗品が装着された場合は簡単に区別することができる。また、消耗品を識別できるので、構造が同一な他機種の消耗品が誤装着されることを防止することができる。
【００３９】
また、点灯時間調整部９１は、コンデンサーＣ１と抵抗Ｒ２を有し、抵抗Ｒ２の抵抗値を変えることによって発光部の点灯時間長が調整される。そのため、簡易な構成で点灯時間長を調整することができる。また、発光時間長調整部は、絶縁体等で目視不可能に覆われているので、コピー品の作成を防止することができる。
【００４０】
また、給電部（本体側コイルＬ１）と受電部（消耗品側コイルＬ２）はコイルで構成され、制御部８３は、消耗品が装着されたときに、給電部に所定時間通電し、電磁誘導によりワイヤレス給電を行う。そのため、本体部２に消耗品を装着する際のハーネス接続が不要になるので、構造を簡素化することができる。また、必要なときのみ消耗品に給電されるので、消費電力を削減できる。
【００４１】
本発明は上述した実施の形態に限定されるものではなく、本発明の趣旨を逸脱しない範囲で種々様々に変更が可能であることは言うまでもない。
【符号の説明】
【００４２】
１  画像形成装置
２  本体部
５  原稿読取部
６  原稿給送部
７  操作部
１０ａ、１０ｂ、１０ｃ、１０ｄ  画像形成部
１１ａ、１１ｂ、１１ｃ、１１ｄ  感光体ドラム
１２ａ、１２ｂ、１２ｃ、１２ｄ  帯電装置
１３  露光ユニット
１４ａ、１４ｂ、１４ｃ、１４ｄ  現像装置
１５ａ、１５ｂ、１５ｃ、１５ｄ  一次転写ローラー
１６ａ、１６ｂ、１６ｃ、１６ｄ  クリーニング装置
１７  二次転写ローラー
１８  定着装置
２０  中間転写ベルト
２１ａ、２１ｂ、２１ｃ、２１ｄ  トナーコンテナ
３０  用紙カセット
３１  給紙ローラー
３２  レジストローラー
３３  排出ローラー
３４  排出トレイ
５１  スキャナー
５２  プラテンガラス
５３  原稿読取スリット
６１  原稿載置部
６２  原稿排出部
６３  原稿搬送機構
７１  表示部
７２  テンキー
８０  消耗品検知回路
８１  装着検出部
８２  電流検出部
８３  制御部
８３１  判別部
８３２  点灯時間測定部
８４  点灯時間長記憶部
９０  識別回路
９１  点灯時間調整部
ＭＳ  原稿
Ｐ  記録紙
Ｌ１  本体側コイル
Ｌ２  消耗品側コイル
Ｑ１  トランジスタ
Ｑ２  受光素子
Ｒ１、Ｒ２  抵抗
Ｃ１  コンデンサー
Ｄ１  整流用ダイオード
Ｄ２  発光ダイオード
【図１】
0006350424.tif 000002
【図２】
0006350424.tif 000003
【図３】
0006350424.tif 000004